(57)【特許請求の範囲】
【請求項１】
絶縁ガスが充填された容器と、
前記容器内に固定された固定接触子と、
固定接触子方向に進退動可能に設けられ前記固定接触子と接離する可動接触子と、
前記可動接触子の前記固定接触子からの切り離し方向側端部に連結され前記可動接触子を駆動させる操作レバーと、
前記可動接触子の外径側に同軸に配設されたパッファシリンダと、
前記可動接触子と一体に設けられ前記パッファシリンダと共にパッファ形消弧室を形成するとともに、前記パッファシリンダの内壁面を軸方向に摺動して、前記可動接触子と前記固定接触子との開離間隙から前記パッファ形消弧室内に絶縁ガスを吸い込む、及び前記パッファ形消弧室の絶縁ガスを前記可動接触子と前記固定接触子との開離間隙に吹き出すパッファ動作をするパッファピストンと、
を備えた接地開閉装置において、
前記可動接触子の全ストロークのうち固定接触子側の所定の領域で前記パッファ形消弧室を開放して該パッファ形消弧室の圧力を放圧し前記パッファ動作が働かないようにする開放構造を備え、
前記開放構造は、前記パッファシリンダの固定接触子側の径が操作レバー側の径より大きく構成され、
前記可動接触子のストロークのうち、前記固定接触子と前記可動接触子との接離動作によりアークが発生する領域より操作レバー側の領域で前記パッファ形消弧室を開放する第２の開放構造がさらに設けられていることを特徴とする接地開閉装置。
【請求項２】
絶縁ガスが充填された容器と、
前記容器内に固定された固定接触子と、
固定接触子方向に進退動可能に設けられ前記固定接触子と接離する可動接触子と、
前記可動接触子の前記固定接触子からの切り離し方向側端部に連結され前記可動接触子を駆動させる操作レバーと、
前記可動接触子の外径側に同軸に配設されたパッファシリンダと、
前記可動接触子と一体に設けられ前記パッファシリンダと共にパッファ形消弧室を形成するとともに、前記パッファシリンダの内壁面を軸方向に摺動して、前記可動接触子と前記固定接触子との開離間隙から前記パッファ形消弧室内に絶縁ガスを吸い込む、及び前記パッファ形消弧室の絶縁ガスを前記可動接触子と前記固定接触子との開離間隙に吹き出すパッファ動作をするパッファピストンと、
を備えた接地開閉装置において、
前記可動接触子の全ストロークのうち固定接触子側の所定の領域で前記パッファ形消弧室を開放して該パッファ形消弧室の圧力を放圧し前記パッファ動作が働かないようにする開放構造を備え、
前記開放構造は、前記パッファシリンダの操作レバー側端に一端部を固定されたコイルバネと、前記コイルバネの他端に設けられ、前記パッファピストンに接触しているときは閉塞状態となり前記パッファピストンから離間したときに開放状態となる弁構造とにより構成されている
ことを特徴とする接地開閉装置。
【請求項３】
絶縁ガスが充填された容器と、
前記容器内に固定された固定接触子と、
固定接触子方向に進退動可能に設けられ前記固定接触子と接離する可動接触子と、
前記可動接触子の前記固定接触子からの切り離し方向側端部に連結され前記可動接触子を駆動させる操作レバーと、
前記可動接触子の外径側に同軸に配設されたパッファシリンダと、
前記可動接触子と一体に設けられ前記パッファシリンダと共にパッファ形消弧室を形成するとともに、前記パッファシリンダの内壁面を軸方向に摺動して、前記可動接触子と前記固定接触子との開離間隙から前記パッファ形消弧室内に絶縁ガスを吸い込む、及び前記パッファ形消弧室の絶縁ガスを前記可動接触子と前記固定接触子との開離間隙に吹き出すパッファ動作をするパッファピストンと、
を備えた接地開閉装置において、
前記可動接触子の全ストロークのうち固定接触子側の所定の領域で前記パッファ形消弧室を開放して該パッファ形消弧室の圧力を放圧し前記パッファ動作が働かないようにする開放構造を備え、
前記可動接触子は、一端を前記パッファピストンに固定され他端を前記パッファシリンダ端面から突出させる筒状を成し、パッファピストン側端部に形成された通気孔を介して絶縁ガスを吸い込む及び絶縁ガスを吹き出す構造であり、
前記開放構造は、前記可動接触子の前記パッファシリンダ端面を貫通する部分のうち、所定の領域の部分の径が小さくされて構成されている
ことを特徴とする接地開閉装置。
【請求項４】
絶縁ガスが充填された容器と、
前記容器内に固定された固定接触子と、
固定接触子方向に進退動可能に設けられ前記固定接触子と接離する可動接触子と、
前記可動接触子の前記固定接触子からの切り離し方向側端部に連結され前記可動接触子を駆動させる操作レバーと、
前記可動接触子の外径側に同軸に配設されたパッファシリンダと、
前記可動接触子と一体に設けられ前記パッファシリンダと共にパッファ形消弧室を形成するとともに、前記パッファシリンダの内壁面を軸方向に摺動して、前記可動接触子と前記固定接触子との開離間隙から前記パッファ形消弧室内に絶縁ガスを吸い込む、及び前記パッファ形消弧室の絶縁ガスを前記可動接触子と前記固定接触子との開離間隙に吹き出すパッファ動作をするパッファピストンと、
を備えた接地開閉装置において、
前記可動接触子の全ストロークのうち固定接触子側の所定の領域で前記パッファ形消弧室を開放して該パッファ形消弧室の圧力を放圧し前記パッファ動作が働かないようにする開放構造を備え、
前記可動接触子は、一端を前記パッファピストンに固定され他端を前記パッファシリンダの固定接触子側端面から突出させる筒状を成し、パッファピストン側端部に形成された通気孔を介して絶縁ガスを吸い込む及び絶縁ガスを吹き出す構造であり、
前記開放構造は、前記可動接触子の前記通気孔より固定接触子側に形成された第２の通気孔により構成されている
ことを特徴とする接地開閉装置。
【請求項５】
前記可動接触子のストロークのうち、前記固定接触子と前記可動接触子の接離動作によりアークが発生する領域より操作レバー側の領域で前記パッファ形消弧室を開放する第２の開放構造がさらに設けられている
ことを特徴とする請求項２から４のいずれか１項に記載の接地開閉装置。
【請求項６】
前記第２の開放構造は、前記パッファシリンダの前記操作レバー側が前記可動接触子のストロークより短くされて構成されている
ことを特徴とする請求項５に記載の接地開閉装置。
【請求項７】
前記開放構造は、前記可動接触子のストロークのうち、前記固定接触子と前記可動接触子との接離動作によりアークが発生する領域より固定接触子側の領域で前記パッファ形消弧室を開放する
ことを特徴とする請求項１から６のいずれか１項に記載の接地開閉装置。
【発明の詳細な説明】
【技術分野】
【０００１】
この発明は、高速型のバッファ式接地開閉装置に関するものである。
【背景技術】
【０００２】
従来、パッファ式開閉装置において、駆動する際の操作エネルギーを低減させる目的で、ガイドシリンダの操作レバー側にスリットを設ける提案がされている。このスリットは、ガイドシリンダの操作レバー側の端部からピストンの摺動する範囲の途中まで延びた構成とされている。開閉装置の開極時に可動接触子が所定の位置まで後退すると、ガイドシリンダ内の絶縁ガスがスリットから放出されガイドシリンダ内の圧力は周囲と同じになる。これにより、開極動作の後半において操作エネルギーが低減される（例えば、特許文献１参照）。
【０００３】
【特許文献１】特開平０５−１１４３３７号公報
【発明の開示】
【発明が解決しようとする課題】
【０００４】
例えば１０００ＫＶ系統のような超高圧送電線路において、地絡事故時のルート断事故を防止するため、送電線の両端に設置し、地絡電流遮断時の２次アーク電流を強制的に消滅させて高速再閉路を可能とする高速型のバッファ式接地開閉装置がある。
【０００５】
上記背景技術に記載の技術においては、開極動作時の後半に操作エネルギーが低減されるが、投入動作時後半には操作エネルギーは低減されず負荷がかかったままである。上記のような高速型のバッファ式接地開閉装置においては、開極動作時の電流遮断性能も重要であるが、投入動作時の短絡投入性能の責務を満足することがさらに重要となる。つまり、投入動作時の適切な位置での消弧能力、及び投入スピードの速さが要求される。
【０００６】
本発明は、上記に鑑みてなされたものであって、投入動作時及び開極動作時に適切な位置での消弧動作を行うとともに、投入時に投入速度を速くすることができる接地開閉装置を提供することを目的とする。
【課題を解決するための手段】
【０００７】
上述した課題を解決し、目的を達成するために、本発明の接地開閉装置は、絶縁ガスが充填された容器と、容器内に固定された固定接触子と、固定接触子方向に進退動可能に設けられ固定接触子と接離する可動接触子と、可動接触子の固定接触子からの切り離し方向側端部に連結され可動接触子を駆動させる操作レバーと、可動接触子の外径側に同軸に配設されたパッファシリンダと、可動接触子と一体に設けられパッファシリンダと共にパッファ形消弧室を形成するとともに、パッファシリンダの内壁面を軸方向に摺動して、可動接触子と固定接触子との開離間隙からパッファ形消弧室内に絶縁ガスを吸い込む、及びパッファ形消弧室の絶縁ガスを可動接触子と固定接触子との開離間隙に吹き出すパッファ動作をするパッファピストンと、を備えた接地開閉装置において、可動接触子の全ストロークのうち固定接触子側の所定の領域でパッファ形消弧室を開放してパッファ形消弧室の圧力を放圧しパッファ動作が働かないようにする開放構造を備え、前記開放構造は、前記パッファシリンダの固定接触子側の径が操作レバー側の径より大きく構成され、前記可動接触子のストロークのうち、前記固定接触子と前記可動接触子との接離動作によりアークが発生する領域より操作レバー側の領域で前記パッファ形消弧室を開放する第２の開放構造がさらに設けられていることを特徴とする。
【発明の効果】
【０００８】
この発明によれば、可動接触子の全ストロークのうち固定接触子側の所定の領域でパッファ形消弧室を開放してパッファ形消弧室の圧力を放圧しパッファ動作が働かないようにする開放構造を備えているので、投入動作時及び開極動作時に適切な位置での消弧動作を行うとともに、投入動作時後半の操作エネルギーが低減されて投入時に投入速度を速くすることができる、という効果を奏する。
【発明を実施するための最良の形態】
【０００９】
以下に、本発明にかかる接地開閉装置の実施の形態を図面に基づいて詳細に説明する。なお、この実施の形態によりこの発明が限定されるものではない。
【００１０】
実施の形態１．
図１はこの発明の接地開閉装置の実施の形態１であるパッファ式接地開閉装置の投入時前半の動作を示す横断面図である。図２はパッファ式接地開閉装置の投入時後半の動作の様子を示す横断面図である。図３はパッファ式接地開閉装置の開放時前半の動作の様子を示す横断面図である。図４はパッファ式接地開閉装置の開放時後半の動作の様子を示す横断面図である。パッファ式接地開閉装置１０１は、六フッ化硫黄ガスなどの絶縁ガスが高圧で充填された容器１と、容器１内に固定された固定接触子１０と、容器１内で固定接触子１０方向に進退動可能に配設されて固定接触子１０と接離する可動接触子２０とを有している。
【００１１】
固定接触子１０は、図示しない主回路導体に接続された固定側電極１１と、この固定側電極１１の先端に設けられた固定側コンタクト１２とから構成されている。固定側コンタクト１２は、電界緩和のための固定側シールド１３で覆われている。
【００１２】
可動接触子２０は、概略細径筒状を成して可動接触子２０方向に延びる可動側電極２１と、この可動側電極２１の周囲に配設されて可動側電極２１と電気的に接触して集電する可動側コンタクト２２とから構成されている。可動側コンタクト２２は、図示しない接地導体を介して接地されている。可動側コンタクト２２は、電界緩和のための可動側シールド２３により覆われている。
【００１３】
可動接触子２０の外径側に概略有底円筒状のパッファシリンダ２が同軸に配設されている。パッファシリンダ２の内部には、パッファピストン３が摺動可能に設けられている。パッファピストン３の外周部には例えばテフロン（登録商標）スリーブなどのシール部材４が設けられており、パッファシリンダ２との間で気密が保たれている。パッファシリンダ２とパッファピストン３とは、パッファ形消弧室５を形成している。
【００１４】
可動側電極２１の一端は、このパッファピストン３に固定されている。可動側電極２１のパッファピストン３側端部には通気孔２１ａが形成されている。一方、可動側電極２１の他端は、パッファシリンダ２の固定接触子側端面２ａに形成されたシリンダ開口２ｂから突出して固定接触子１０方向に延びている。可動側コンタクト２２及び可動シールド２３は、パッファシリンダ２の固定接触子側端面２ａに取り付けられている。可動側電極２１は、シリンダ開口２ｂの内周部と可動側シールド２３先端の内周部に設けられたテフロン（登録商標）スリーブなどのシール部材により、気密に且つ摺動可能に支持されている。
【００１５】
パッファピストン３の可動接触子２０の反対側にリンク８を介して操作レバー９が連結されている。操作レバー９には、図示しない油圧操作シリンダが接続されており、この油圧操作シリンダの動作により、一体構造のパッファピストン３と可動側電極２１とをパッファシリンダ２の軸に沿って移動させる。
【００１６】
本実施の形態においては、パッファシリンダ２の固定接触子１０側の直径Ｄ１が、操作レバー９側の直径Ｄ２より大きくされている。このように形成されたパッファシリンダ２の外径段部形状は、可動接触子２０（可動側電極２１）の全ストロークのうち固定接触子１０側の所定の領域でパッファ形消弧室５を開放して、パッファ形消弧室５の圧力を放圧する開放構造を構成している。開放構造は、可動接触子２０（可動側電極２１）の全ストロークのうち、所定の領域でパッファ形消弧室５を開放して放圧する。この所定の領域とは、可動接触子２０（可動側電極２１）の全ストロークのうち、固定接触子１０と可動接触子２０との接離動作によりアークが発生する領域より固定接触子１０側の領域である。
【００１７】
次に動作について説明する。まず、パッファ式接地開閉装置１０１の接地動作に関して説明する。送電線路で地絡事故が発生すると、まず送電線路両端の線路用遮断器を開極し事故電流を遮断する。次いで、パッファ式接地開閉装置１０１に投入指令が出されると、図示しない油圧操作シリンダが作動し、図１に示すように、操作レバー９が図中矢印のように反時計方向に回転してパッファピストン３と可動接触子２０（可動側電極２１）とを矢印Ａ方向に移動させる。そして、図２に示すように、可動接触子２０（可動側電極２１）と固定接触子１０（固定側コンタクト１２）とが接触して投入状態となる。
【００１８】
これにより、事故誘導電流は、図示しない主回路導体から固定側電極１１−固定側コンタクト１２−可動側電極２１−可動側コンタクト２２−図示しない接地導体の順に流れて大地に転流される。投入動作完了の後、油圧操作シリンダが作動し、図３に示すように、操作レバー９が図中矢印のように時計方向に回転してパッファピストン３を矢印Ｃ方向に移動させる。これにより、図４に示すように、可動側電極２１と固定側コンタクト１２とが離間して開極状態に復帰する。
【００１９】
次ぎに、投入動作時の消弧動作について説明する。図１に示すように、操作レバー９が図中矢印のように反時計方向に回転してパッファピストン３を矢印Ａ方向に移動させると、パッファ形消弧室５内の圧力が高くなり、パッファ形消弧室５内の絶縁ガスは、通気孔２１ａから吸い込まれて可動側電極２１の内部を通過した後、可動側電極２１の先端から吹き出す。可動側電極２１の先端から吹き出した絶縁ガスは、可動側電極２１と固定側コンタクト１２との間の高温となって消弧能力の低下している図中Ｓに示す領域に吹き出され、この領域に発生するアークを消弧する。この可動側電極２１と固定側コンタクト１２との間に発生するアークは、投入動作時には、可動側電極２１のストロークのうち、先端が図中Ｂに示す領域を移動しているときに図中Ｓに示す領域に発生するので、アークは可動側電極２１の先端から吹き出す絶縁ガスによって効果的に消弧される。
【００２０】
パッファピストン３が図中矢印Ａ方向にさらに移動してパッファシリンダ２の外径段部形状の位置を通過すると、パッファ形消弧室５内の絶縁ガスが、図２に示すように、パッファピストン３の周囲を迂回して操作レバー９側に逃げる。これにより、パッファ形消弧室５内の圧力が周囲と同じになり、すなわち放圧されて、その後パッファ形消弧室５内の圧力は高められない。そのため、パッファピストン３にかかる操作エネルギーは小さく、可動側電極２１は、速いスピードで固定接触子１０側に移動する。すなわち、高速に投入動作が行われ、投入時の短絡投入性能が向上する。
【００２１】
次ぎに、開極動作時の消弧動作について説明する。図３に示すように、操作レバー９が図中矢印のように時計方向に回転してパッファピストン３を矢印Ｃ方向に移動させると、パッファ形消弧室５内の絶縁ガスは、図３に示すように、パッファピストン３の周囲を迂回して操作レバー９側に逃げる（放圧される）ので、パッファピストン３にかかる操作エネルギーは小さくなり、可動側電極２１は、速いスピードで操作レバー９側に移動する。
【００２２】
パッファピストン３が図中矢印Ｃ方向にさらに移動してパッファシリンダ２の外径段部形状の位置を通過すると、パッファ形消弧室５内部が負圧となり、可動側電極２１と固定側コンタクト１２との間の絶縁ガスは、可動側電極２１の先端から吸い込まれて、パッファ形消弧室５内に移動する。可動側電極２１の先端から吸い込まれる絶縁ガスは、可動側電極２１と固定側コンタクト１２との間の高温となって消弧能力の低下している図中Ｓに示す領域から吸い込まれ、この領域に発生するアークを消弧する。この可動側電極２１と固定側コンタクト１２との間に発生するアークは、開極動作時には、可動側電極２１のストロークのうち、先端が図中Ｅに示す領域を移動しているときに図中Ｓに示す領域に発生するので、アークは可動側電極２１の先端から吸い込まれる絶縁ガスによって効果的に消弧される。
【００２３】
実施の形態２．
図５はこの発明の接地開閉装置の実施の形態２であるパッファ式接地開閉装置の完全切離時の様子を示す横断面図である。図６はこの発明の接地開閉装置の実施の形態２であるパッファ式接地開閉装置の完全投入時の様子を示す横断面図である。図７は図６のＦ−Ｆ線に沿う矢視断面図である。図８は図６のＧ−Ｇ線に沿う矢視断面図である。なお、図５及び図６において容器は省略されている。
【００２４】
本実施の形態のパッファ式接地開閉装置１０２においては、開放構造が、パッファシリンダ２内に収納されたコイルバネ３１と、このコイルバネ３１及びパッファピストン３に設けられた弁構造とにより構成されている。コイルバネ３１は螺旋状を成し一端がパッファシリンダ２の操作レバー９側端に固定されている。コイルバネ３１の他端に弁体３２が固定されている。弁体３２は円板状を成し２つの貫通孔３２ａが軸線を挟んで対向した位置に穿孔されている（図８）。一方、パッファピストン３にも２つの貫通孔３ａが軸線を挟んで対向した位置に穿孔されている（図７）。貫通孔３２ａと貫通孔３ａとは円周方向に９０度離れて形成されている。
【００２５】
そして、図５に示すように弁体３２とパッファピストン３とが密着しているときは、貫通孔３２ａと貫通孔３ａは、弁体３２とパッファピストン３の主面で密閉されて絶縁ガスを流通させない。一方、図６に示すようにパッファピストン３が弁体３２から離れると、貫通孔３２ａと貫通孔３ａは、双方ともに開き絶縁ガスを流通させる。つまり、弁体３２と貫通孔３ａとは、パッファピストン３に接触しているときは閉塞状態となりパッファピストン３から離間したときに開放状態となる弁構造を構成している。
【００２６】
上記構造により、可動側電極２１の全ストロークのうち、コイルバネ３１が押し縮められている領域では、パッファ形消弧室５内の圧力が高圧或いは負圧にされてパッファ機能が働き、一方、コイルバネ３１が伸びきり、パッファピストン３が弁体３２から離れたのちは、パッファ形消弧室５が開放されてパッファ形消弧室５内の圧力は周囲と同じになるのでパッファ機能が働かなくなる。
【００２７】
本実施の形態のパッファ式接地開閉装置１０２においては、実施の形態１のものと同様の効果が得られるとともに、投入動作時にパッファピストン３がコイルバネ３１により固定接触子１０側に付勢されるので、可動側電極２１は、さらに速いスピードで固定接触子１０側に移動し、さらに高速な投入動作が行われるので、投入時の短絡投入性能がさらに向上する。
【００２８】
実施の形態３．
図９はこの発明の接地開閉装置の実施の形態３であるパッファ式接地開閉装置の完全投入時の様子を示す横断面図である。なお、図９において容器は省略されている。本実施の形態のパッファ式接地開閉装置１０３においては、開放構造が、可動側電極２１のパッファシリンダ端面２ａを貫通する部分のうち、所定の領域の部分が直径を小さくされることにより構成されている。その他の構成は実施の形態１と同様である。
【００２９】
可動側電極２１は、実施の形態１と同じように、一端をパッファピストン３に固定され他端をパッファシリンダ２の固定接触子側端面２ａに形成されたシリンダ開口２ｂから突出させる筒状を成し、パッファピストン３側端部に形成された通気孔２１ａを介して、固定接触子１０側の先端から絶縁ガスを吸い込む及び絶縁ガスを吹き出す構造を成している。そして、パッファ形消弧室５を開放する開放構造として、可動側電極２１のパッファピストン３側端から固定接触子１０方向に所定の長さの部分が直径を小さくされて小径部２１ｃが形成されている。
【００３０】
小径部２１ｃが、シリンダ開口２ｂの位置にさしかかると、パッファ形消弧室５内の絶縁ガスが、小径部２１ｃとシリンダ開口２ｂとの隙間から可動コンタクト２２側に逃げる。なお、本実施の形態においては、絶縁ガスを逃がすために可動側シールド２３と可動側電極２１との間をシールするシール部材は設けられてない。このような構成により、可動側電極２１の全ストロークのうち、小径部２１ｃが設けられてない領域では、パッファ形消弧室５内の圧力が高圧或いは負圧にされてパッファ機能が働き、一方、小径部２１ｃが設けられた領域では、パッファ形消弧室５が開放されてパッファ形消弧室５内の圧力は周囲と同じになるのでパッファ機能が働かなくなる。
【００３１】
本実施の形態のパッファ式接地開閉装置１０３においては、実施の形態１のものと同様の効果が得られるとともに、開放構造が可動側電極２１の直径を一部小さくするという簡単な構造にて実現されているのでコストダウンを図ることができる。
【００３２】
実施の形態４．
図１０はこの発明の接地開閉装置の実施の形態４であるパッファ式接地開閉装置の完全切離時の様子を示す横断面図である。図１１はこの発明の接地開閉装置の実施の形態４であるパッファ式接地開閉装置の完全投入時の様子を示す横断面図である。なお、図１０及び図１１において容器は省略されている。本実施の形態のパッファ式接地開閉装置１０４においては、開放構造が、可動側電極２１の通気孔２１ａより固定接触子１０側に形成された第２の通気孔２１ｂにより構成されている。その他の構成は実施の形態１と同様である。
【００３３】
可動側電極２１は、実施の形態１と同じように、一端をパッファピストン３に固定され他端をパッファシリンダ２の固定接触子側端面２ａに形成されたシリンダ開口２ｂから突出させる筒状を成し、パッファピストン３側端部に形成された通気孔２１ａを介して、固定接触子１０側の先端から絶縁ガスを吸い込む及び絶縁ガスを吹き出す構造を成している。そして、パッファ形消弧室５を開放する開放構造として、可動側電極２１の通気孔２１ａより固定接触子１０側に所定距離離れた位置に第２の通気孔２１ｂが形成されている。
【００３４】
第２の通気孔２１ｂが、シリンダ開口２ｂより固定接触子１０側の位置に達すると、パッファ形消弧室５内の絶縁ガスは、通気孔２１ａ、可動側電極２１内部、第２の通気孔２１ｂの順で移動して可動側コンタクト２２側に逃げる。なお、本実施の形態においては、絶縁ガスを逃がすために可動側シールド２３と可動側電極２１との間をシールするシール部材は設けられてない。このような構成により、可動側電極２１の全ストロークのうち、第２の通気孔２１ｂがシリンダ開口２ｂより操作レバー９側にある領域では、パッファ形消弧室５内の圧力が高圧或いは負圧にされてパッファ機能が働き（図１１）、一方、第２の通気孔２１ｂがシリンダ開口２ｂより固定接触子１０側にある領域では、パッファ形消弧室５が開放されてパッファ形消弧室５内の圧力は周囲と同じになるのでパッファ機能が働かなくなる（図１０）。
【００３５】
本実施の形態のパッファ式接地開閉装置１０４においては、実施の形態１のものと同様の効果が得られるとともに、開放構造が可動側電極２１に第２の通気孔２１ｂを形成するという簡単な構造にて実現されているので、コストダウンを図ることができる。
【００３６】
実施の形態５．
図１２はこの発明の接地開閉装置の実施の形態５であるパッファ式接地開閉装置の投入時前半の動作を示す横断面図である。なお、図１２において容器は省略されている。本実施の形態のパッファ式接地開閉装置１０４においては、実施の形態１と同様のパッファシリンダ２の外径段部形状による開放構造に加えて、第２の開放構造がさらに設けられている。第２の開放構造は、パッファシリンダ２の操作レバー９側が可動側電極２１のストロークより短くされて構成されている。図１２中点線で示す部分が第２の開放構造を形成するために削除された部分である。パッファシリンダ２が削除された部分においてはパッファ機能が働かない。
【００３７】
第２の開放構造は、可動側電極２１の全ストロークのうち、固定接触子１０と可動接触子２０との接離動作によりアークが発生する領域より操作レバー９側の領域でパッファ形消弧室５を開放する（図１の領域Ｂ、図４の領域Ｅ参照）。すなわち、アークが発生する領域の固定接触子１０側及び操作レバー９側の両側にパッファ機能が働かない領域が設けられている。そのため、効果的に消弧を行うことができるとともに、さらに高速に投入動作を行うことができ、投入時の短絡投入性能がさらに向上する。
【００３８】
なお、本実施の形態においては、実施の形態１のパッファシリンダ２の外径段部形状による開放構造に加えて、第２の開放構造が設けられているが、これに限らず、第２の開放構造は、実施の形態２から４のいずれかの開放構造と組み合わされてよい。
【産業上の利用可能性】
【００３９】
以上のように、本発明にかかる接地開閉装置は、バッファ式接地開閉装置に有用であり、特に高速型のバッファ式接地開閉装置に適している。
【図面の簡単な説明】
【００４０】
【図１】この発明の接地開閉装置の実施の形態１であるパッファ式接地開閉装置の投入時前半の動作を示す横断面図である。
【図２】実施の形態１のパッファ式接地開閉装置の投入時後半の動作の様子を示す横断面図である。
【図３】実施の形態１のパッファ式接地開閉装置の開放時前半の動作の様子を示す横断面図である。
【図４】実施の形態１のパッファ式接地開閉装置の開放時後半の動作の様子を示す横断面図である。
【図５】この発明の接地開閉装置の実施の形態２であるパッファ式接地開閉装置の完全切離時の様子を示す横断面図である。
【図６】実施の形態２のパッファ式接地開閉装置の完全投入時の様子を示す横断面図である。
【図７】図６のＦ−Ｆ線に沿う矢視断面図である。
【図８】図６のＧ−Ｇ線に沿う矢視断面図である。
【図９】この発明の接地開閉装置の実施の形態３であるパッファ式接地開閉装置の完全投入時の様子を示す横断面図である。
【図１０】この発明の接地開閉装置の実施の形態４であるパッファ式接地開閉装置の完全切離時の様子を示す横断面図である。
【図１１】実施の形態４のパッファ式接地開閉装置の完全投入時の様子を示す横断面図である。
【図１２】この発明の接地開閉装置の実施の形態５であるパッファ式接地開閉装置の投入時前半の動作を示す横断面図である。
【符号の説明】
【００４１】
１  容器
２  パッファシリンダ
３  パッファピストン
４  シール部材
５  パッファ形消弧室
８  リンク
９  操作レバー
１０  固定接触子
１１  固定側電極
１２  固定側コンタクト
１３  固定側シールド
２０  可動接触子
２１  可動側電極
２１ｃ  小径部
２１ａ  通気孔
２１ｂ  第２の通気孔
２２  可動コンタクト
２２  可動側コンタクト
２３  可動側シールド
３１  コイルバネ
３２  弁体
３２ａ  貫通孔
１０１，１０２，１０３，１０４  パッファ式接地開閉装置
【図１】
0005153255.tif 000002
【図２】
0005153255.tif 000003
【図３】
0005153255.tif 000004
【図４】
0005153255.tif 000005
【図５】
0005153255.tif 000006
【図６】
0005153255.tif 000007
【図７】
0005153255.tif 000008
【図８】
0005153255.tif 000009
【図９】
0005153255.tif 000010
【図１０】
0005153255.tif 000011
【図１１】
0005153255.tif 000012
【図１２】
0005153255.tif 000013